(57)【特許請求の範囲】
【請求項１】
外郭を構成するケーシングと、
外周面に螺旋状の歯溝を有するスクリューと、
前記歯溝に嵌り合う複数のゲートローター歯部を有し、前記ケーシング及びスクリューと共に圧縮室を形成するゲートローターと、
複数の前記ゲートローター歯部と対向して設けられた複数のゲートローターサポート歯部を有し、前記ゲートローターを支持するゲートローターサポートと、を備え、
少なくとも１つの前記ゲートローター歯部に、ゲートローター孔が歯厚方向に貫通させて形成されており、
前記ゲートローターサポート歯部には、一方が前記ゲートローター孔と連通し、他方が前記ケーシング内に設けられた低圧空間と連通するゲートローターサポート孔が、歯厚方向に貫通させて形成されており、
前記ゲートローターサポート孔には、前記ゲートローターサポート孔に圧入されて嵌め込まれたピンが設けられており、
前記圧縮室の内圧の高まりに応じて前記ゲートローターサポート孔から前記ピンが外れ、前記圧縮室と前記低圧空間とが連通される構成である、シングルスクリュー圧縮機。
【請求項２】
前記ゲートローターサポート孔は、
前記ゲートローター孔よりも小径であり、前記ゲートローター孔と連通する第１ゲートローターサポート孔と、
前記第１ゲートローターサポート孔よりも大径であり、一方が前記第１ゲートローターサポート孔と繋がり、他方が前記低圧空間と連通する第２ゲートローターサポート孔と、で構成されており、
前記ピンは、前記第１ゲートローターサポート孔に圧入されて嵌め込まれている、請求項１に記載のシングルスクリュー圧縮機。
【請求項３】
前記ゲートローターサポート歯部には、前記低圧空間と前記第２ゲートローターサポート孔とを連通させる流路孔が形成されている、請求項２に記載のシングルスクリュー圧縮機。
【請求項４】
前記第２ゲートローターサポート孔には、前記第２ゲートローターサポート孔を塞ぐプラグが嵌め込まれており、
前記流路孔は、前記ピンと前記プラグとの間における前記第２ゲートローターサポート孔と、前記低圧空間とを連通させる構成である、請求項３に記載のシングルスクリュー圧縮機。
【請求項５】
前記ピンと前記ゲートローターサポートとは、線膨張係数が同一の金属材料で構成されている、請求項１〜４のいずれか一項に記載のシングルスクリュー圧縮機。
【請求項６】
前記ゲートローター孔は、
前記ゲートローターの前記圧縮室側に形成された第１ゲートローター孔と、
第１ゲートローター孔よりも大径であり、一方が前記第１ゲートローター孔に繋がり、他方が前記ゲートローターサポート孔と連通する第２ゲートローター孔と、で構成されている、請求項１〜５のいずれか一項に記載のシングルスクリュー圧縮機。
【請求項７】
請求項１〜６のいずれか一項に記載のシングルスクリュー圧縮機、凝縮器、膨張弁、及び蒸発器が、順次冷媒配管で接続された冷媒回路と、
前記シングルスクリュー圧縮機の駆動を制御する制御部と、を備えた、冷凍空調装置。
【請求項８】
前記シングルスクリュー圧縮機の回転数を検知する回転数検知手段と、
前記膨張弁の開度を検知する開度検知手段と、
前記ピンが前記ゲートローターサポート孔から外れていることを報知する報知手段と、を更に備え、
前記制御部は、前記回転数検知手段が予め設定した最大回転速度に到達したと判断すると、前記開度検知手段が検知した開度と予め設定した目標の開度との差を求め、その開度の差が目標値よりも大きいと判断すると前記ピンが前記ゲートローターサポート孔から外れていると判断して、前記報知手段を報知させる、請求項７に記載の冷凍空調装置。
【請求項９】
前記シングルスクリュー圧縮機の回転数を検知する回転数検知手段と、
前記膨張弁の開度を検知する開度検知手段と、を更に備え、
前記制御部は、前記回転数検知手段が予め設定した最大回転速度に到達したと判断すると、前記開度検知手段が検知した開度と予め設定した目標の開度との差を求め、その開度の差が目標値よりも大きいと判断すると前記ピンが前記ゲートローターサポート孔から外れていると判断して、前記シングルスクリュー圧縮機の駆動を停止させる、請求項７に記載の冷凍空調装置。
【請求項１０】
前記冷媒回路を流れる冷媒として、Ｒ４１０冷媒、Ｒ３２冷媒又は二酸化炭素冷媒が使用されている、請求項７〜９のいずれか一項に記載の冷凍空調装置。
【発明の詳細な説明】
【技術分野】
【０００１】
本発明は、シングルスクリュー圧縮機及びそれを備えた冷凍空調装置に関するものである。
【背景技術】
【０００２】
シングルスクリュー圧縮機は、容積形圧縮機の一つの形式として知られており、例えば冷凍空調装置に内蔵された冷媒回路の構成部材として使用される。このシングルスクリュー圧縮機は、螺旋状の歯溝を有するスクリューと、スクリューの歯溝に嵌り合う複数のゲートローター歯部を有するゲートローターと、が外郭を形成するケーシングの内部に収納された構成である。このシングルスクリュー圧縮機には、スクリューの歯溝と、ゲートローターの歯部が相互に噛み合い係合されて圧縮室が形成されている。【０００３】
シングルスクリュー圧縮機は、圧縮室内に液冷媒が吸い込まれると液圧縮が発生し、圧縮室の内圧が急上昇する。圧縮室は、気化冷媒に比べて密度が高い液冷媒が室内に吸い込まれると、ガス圧縮では到達できない圧力まで内圧が高くなる。シングルスクリュー圧縮機は、一般的に、ケーシングとスクリューが例えば鉄材等の金属材で構成され、ゲートローターが合成樹脂材で構成されており、スクリューとゲートローターとの金属接触を避ける構成としている。そのため、シングルスクリュー圧縮機は、材料強度が低い合成樹脂材のゲートローターが破壊されて圧縮動作が不能となり、運転が停止してしまう。【０００４】
ここで、ゲートローターの破壊によるシングルスクリュー圧縮機の運転停止から復旧するための作業内容を簡単に説明する。まず、閉ループで構成された冷媒回路において、作業者は、シングルスクリュー圧縮機の高低圧側の止め弁を全閉にしてシングルスクリュー圧縮機を冷媒回路から遮断し、シングルスクリュー圧縮機内の冷媒を回収する。次に、作業者は、シングルスクリュー圧縮機内の冷凍機油を回収し、シングルスクリュー圧縮機を冷媒回路の配管系から取り外し、保守サービスを安全にかつ効率的にできる作業場へ搬送する。作業者は、作業場において、シングルスクリュー圧縮機を全分解し、ケーシング内のゲートローターの破断片を除去する作業を行う。作業者は、破断片を除去し、シングルスクリュー圧縮機を再び組み立てた後、冷媒回路に再び設置する。これら一連の復旧作業は、多大な時間を要し、さらにユーザも冷凍空調装置の使用ができず、加えて費用も必要となり、ユーザにとって大きな課題である。【０００５】
そこで、例えば、特許文献１には、専用の検出器を用いて圧縮室の内圧を検出し、検出した圧力が予め設定した設定値を超過した場合に、液圧縮が発生したと判断し、吐出タイミングが早くなるようにスライドバルブの位置を制御して、圧縮室の内圧の上昇を抑制するスクリュー圧縮機が開示されている。
【先行技術文献】
【特許文献】
【０００６】
【特許文献１】特開２０１０−２５５５９５号公報
【発明の概要】
【発明が解決しようとする課題】
【０００７】
特許文献１のスクリュー圧縮機では、専用の検出器が検出した検出値を用いて圧縮室の内圧を抑制するために、圧縮室の内圧のサンプリング周波数を高くしておく必要がある。それは、時々刻々と変化する圧縮室の内圧の検出値と、予め設定した設置値の大きさを比較し、検出値が設定値より大きい場合に液圧縮しているとの判断を行うため、サンプリング周波数が低いと液圧縮の判定が遅れ、圧縮室の内圧が上昇してゲートローターが破壊するためである。したがって、このスクリュー圧縮機は、圧縮室の内圧を検出する専用の検出器が必要であり、更に電気信号を出力できる圧力センサ又は電気信号を受信して判定する制御部が必要となり、コスト高になる。【０００８】
また、特許文献１のスクリュー圧縮機は、検出値が設定値を超過して液圧縮の発生と判定した場合に、専用の制御装置でスライドバルブの位置を機械的に調整する構成である。つまり、このスクリュー圧縮機では、液圧縮が発生して圧縮室の内圧が上昇してから、スライドバルブを目標の位置に移動させるまでに時間を要するため、運転を長期停止後の寝込み起動等の急激な液圧縮の場合において、ゲートローターの破壊に至る前に圧縮室の内圧の上昇を抑制することが困難である。【０００９】
本発明は、上記のような課題を解決するためになされたものであり、液圧縮による圧縮室の内圧の上昇を抑制し、ゲートローターの破壊を防止できるシングルスクリュー圧縮機及びそれを備えた冷凍空調装置を提供することを目的とする。
【課題を解決するための手段】
【００１０】
本発明に係るシングルスクリュー圧縮機は、外郭を構成するケーシングと、外周面に螺旋状の歯溝を有するスクリューと、前記歯溝に嵌り合う複数のゲートローター歯部を有し、前記ケーシング及びスクリューと共に圧縮室を形成するゲートローターと、複数の前記ゲートローター歯部と対向して設けられた複数のゲートローターサポート歯部を有し、前記ゲートローターを支持するゲートローターサポートと、を備え、少なくとも１つの前記ゲートローター歯部に、ゲートローター孔が歯厚方向に貫通させて形成されており、前記ゲートローターサポート歯部には、一方が前記ゲートローター孔と連通し、他方が前記ケーシング内に設けられた低圧空間と連通するゲートローターサポート孔が、歯厚方向に貫通させて形成されており、前記ゲートローターサポート孔には、前記ゲートローターサポート孔に圧入されて嵌め込まれたピンが設けられており、前記圧縮室の内圧の高まりに応じて前記ゲートローターサポート孔から前記ピンが外れ、前記圧縮室と前記低圧空間とが連通される構成としたものである。
【発明の効果】
【００１１】
本発明に係るシングルスクリュー圧縮機及びそれを備えた冷凍空調装置は、圧縮室の内圧の高まりに応じてゲートローターサポート孔からピンが外れ、ゲートローター孔とゲートローターサポート孔を通じて、圧縮室と低圧空間とが連通される構成なので、液圧縮によって圧縮室の内圧が上昇しても圧縮室の内圧の上昇を抑制でき、ゲートローターの破壊を防止できる。
【図面の簡単な説明】
【００１２】
【図１】本発明の実施の形態１に係るシングルスクリュー圧縮機を備えた冷凍空調装置の冷媒回路図である。
【図２】本発明の実施の形態１に係るシングルスクリュー圧縮機の内部構造を示した断面図である。
【図３】図２に示したＡ−Ａ線矢視の拡大断面図である。
【図４】本発明の実施の形態１に係るシングルスクリュー圧縮機のゲートローターを示した平面図である。
【図５】図４に示したＢ−Ｂ線矢視断面図である。
【図６】本発明の実施の形態１に係るシングルスクリュー圧縮機のゲートローター及びゲートローターサポートの断面図である。
【図７】本発明の実施の形態１に係るシングルスクリュー圧縮機であって、ゲートローターサポート孔にピンを圧入した状態におけるゲートローター及びゲートローターサポートの断面図である。
【図８】本発明の実施の形態２に係るシングルスクリュー圧縮機のゲートローター及びゲートローターサポートの断面図である。
【図９】本発明の実施の形態３に係るシングルスクリュー圧縮機のゲートローター及びゲートローターサポートの断面図である。
【図１０】本発明の実施の形態４に係るシングルスクリュー圧縮機のゲートローターを示した平面図である。
【発明を実施するための形態】
【００１３】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１４】
実施の形態１．
図１は、本発明の実施の形態１に係るシングルスクリュー圧縮機を備えた冷凍空調装置の冷媒回路図である。実施の形態１に係るシングルスクリュー圧縮機１は、図１に示す冷凍空調装置１００に内蔵された冷媒回路２００の構成部材として使用される。冷媒回路２００は、図１に示すように、冷媒を圧縮して吐出するシングルスクリュー圧縮機１、冷媒を凝縮させる凝縮器２０、液冷媒とガス冷媒とに分離する液溜め（図示省略）、冷媒を減圧させる膨張弁２１、及び冷媒を蒸発させる蒸発器２２等の構成部品を、順次冷媒配管で接続し、閉ループとした構成である。また、冷凍空調装置１００は、図示しないインバータと、インバータと通信して、信号を受信又は発信できる制御部２３と、を備えている。冷凍空調装置１００は、冷媒回路２００を流れる冷媒として、Ｒ４１０冷媒、Ｒ３２冷媒又は二酸化炭素冷媒が使用されている。
【００１５】
図２は、本発明の実施の形態１に係るシングルスクリュー圧縮機の内部構造を示した断面図である。図３は、図２に示したＡ−Ａ線矢視の拡大断面図である。図４は、本発明の実施の形態１に係るシングルスクリュー圧縮機のゲートローターを示した平面図である。図５は、図４に示したＢ−Ｂ線矢視断面図である。図６は、本発明の実施の形態１に係るシングルスクリュー圧縮機のゲートローター及びゲートローターサポートの断面図である。図７は、本発明の実施の形態１に係るシングルスクリュー圧縮機であって、ゲートローターサポート孔にピンを圧入した状態におけるゲートローター及びゲートローターサポートの断面図である。
【００１６】
実施の形態１に係るシングルスクリュー圧縮機１では、単段シングルスクリュー圧縮機を例に説明するが、これに限るものではなく、二段シングルスクリュー圧縮機に適用してもよい。実施の形態１に係るシングルスクリュー圧縮機１は、図２及び図３に示すように、外郭を構成する円筒形状のケーシング２と、ケーシング２の内部に設けられた圧縮部３及び駆動部４と、で構成されている。ケーシング２内には、冷媒回路２００の蒸発器２２から低圧のガス冷媒が流入されるとともに低圧ガスを圧縮部３へ案内する低圧空間１３が区画形成されている。
【００１７】
圧縮部３は、図２及び図３に示すように、スクリュー５と、回転軸６と、一対のゲートローター７、７と、ゲートローターサポート８、８と、を備えている。スクリュー５は、円柱体の表面に複数の螺旋状の歯溝（スクリュー溝）を有している。回転軸６は、スクリュー５を軸支するものであって、一方の軸端部が軸受５０により回転自在に支持され、他方の軸端部が駆動部４に連結されている。ゲートローター７は、図４に示すように、スクリュー５の歯溝に嵌り合う複数のゲートローター歯部７ａが外周部に形成されており、図２及び図３に示すように、スクリュー５を径方向に挟むように配置されている。ゲートローターサポート８は、複数のゲートローター歯部７ａと対向して設けられた複数のゲートローターサポート歯部８ａを有し、ゲートローター７を支持するものである。
【００１８】
圧縮部３には、スクリュー５の歯溝と、ゲートローター７のゲートローター歯部７ａが相互に噛み合い係合されて圧縮室９、９が形成されている。シングルスクリュー圧縮機１は、１本のスクリュー５に対し、２本のゲートローター７、７を１８０度対向させて配置した構成である。そのため、圧縮室９、９は、回転軸６の上側と、回転軸６の下側とで、１８０度対向して２つ形成されている。
【００１９】
ゲートローター７は、図４及び図５に示すように、１１枚のゲートローター歯部７ａを有する星形形状である。そのため、ゲートローターサポート８も、ゲートローター７と同じく１１枚のゲートローターサポート歯部８ａを有した星形形状である。ゲートローター７は、金属材料で構成されたスクリュー５との金属接触を避けるために、合成樹脂材で構成されている。ゲートローター７は、材料強度が金属材料に比べて低いため、金属材料で構成したゲートローターサポート８のゲートローターサポート歯部８ａの上面に固定されて強度が補われている。勿論、ゲートローターサポート８は、ゲートローターサポート歯部８ａとスクリュー５の歯溝とが干渉して金属接触しないように設けられている。なお、図３に示すように、ゲートローターサポート８は、軸部の両端が、軸受１６、１７で支持されている。
【００２０】
シングルスクリュー圧縮機１は、図２及び図３に示すように、冷媒の吐出タイミングを調整するために、内部の容積比を可変させる２つの可変弁１１、１１を圧縮室９、９に備えている。可変弁１１は、図３に示すように、断面形状が三日月形の棒状であり、ケーシング２の一部を径方向に部分的に突出させた空間内に摺動自在に収容されている。各可変弁１１は、端面にロッド１２が固定されており、ロッド１２の軸方向の移動動作によって、回転軸６と並行に移動自在に構成されている。圧縮室９、９の室内に吸い込んだ冷媒の吐出タイミングは、可変弁１１が回転軸６と並行に移動することで調整することができる。つまり、可変弁１１は、制御部２３によって、エネルギー効率が高くなるように吐出タイミングを調整する目的で位置が制御される。
【００２１】
駆動部４は、電動機１０によって構成されている。電動機１０は、ケーシング２内に内接して固定され、径方向に隙間を有するステーター１０ａと、ステーター１０ａの内側に回転自在に配置されたモーターローター１０ｂと、で構成されている。モーターローター１０ｂは、回転軸６の軸端部に接続されており、スクリュー５と同一軸線上に配置されている。シングルスクリュー圧縮機１は、電動機１０が駆動して回転軸６を回転させることで、スクリュー５を回転させる。なお、電動機１０は、図示することは省略したインバータによって回転速度を可変に駆動されており、回転軸６の回転速度を加減速させて運転される。
【００２２】
次に、実施の形態１に係るシングルスクリュー圧縮機１の動作について説明する。シングルスクリュー圧縮機１は、インバータから電気が入力されて電動機１０が起動する。シングルスクリュー圧縮機１は、電動機１０が起動すると、冷媒が一対の圧縮室９内にほぼ同一の質量の冷媒が吸い込まれ、同一のタイミングで冷媒の吸入が完了する。各圧縮室９は、冷媒の吸入を完了した後に、圧縮室９の容積が減じられ、内圧が高められていく。シングルスクリュー圧縮機１は、圧縮室９が設定された容積まで減じられると、圧縮室９が可変弁１１、１１によって吐出口と連通し、吐出ガスが吐出される。各圧縮室９の冷媒を吐出させるタイミングは、可変弁１１、１１を制御することによって調整される。
【００２３】
シングルスクリュー圧縮機１は、通常では、気体の冷媒ガスのみが圧縮室９内に吸い込まれる。しかし、シングルスクリュー圧縮機１は、蒸発器２２から気液２相冷媒が戻り、シングルスクリュー圧縮機１内に液冷媒が流入する場合がある。シングルスクリュー圧縮機１は、圧縮室９内に液冷媒が吸込まれると液圧縮が発生し、圧縮室９の内圧が急上昇する。圧縮室９では、室内に吸い込まれた液冷媒が気化冷媒に比べて密度が高いため、ガス圧縮では到達できない圧力まで内圧が高くなる。上記構成のシングルスクリュー圧縮機１では、圧縮室９の構成要素のうちで最も材料強度が低い合成樹脂製のゲートローター７が破損して、運転できない状況に至ってしまう場合がある。
【００２４】
ここで、ゲートローター７が破壊した場合の復旧作業について説明する。シングルスクリュー圧縮機１は、ケーシング２の内部でゲートローター７が破壊され、ゲートローター７の破壊片が甚だ飛散している場合がある。その場合、ゲートローター７の破壊片は、冷媒回路２００側へ流出している可能性が考えられる。この場合、冷媒回路２００の配管洗浄の必要性が発生する。配管洗浄の運転は、別の圧縮機を据付けて行われる。シングルスクリュー圧縮機内で飛散したゲートローターの破断片を取り除くため、一旦シングルスクリュー圧縮機を全て分解する必要がある。分解した部品は、洗浄されて、再び組み立てられる。組み立てたシングルスクリュー圧縮機は、洗浄後の冷媒回路に取り付けられて試運転される。以上のように、シングルスクリュー圧縮機は、ゲートローター７が破壊すると復旧に多くの手間と時間を要し、さらに復旧作業に要する多大な費用も発生することになる。
【００２５】
そこで、実施の形態１のシングルスクリュー圧縮機１では、図４及び図５に示すように、複数のゲートローター歯部７ａのうち、一つのゲートローター歯部７ａに、ゲートローター孔７０が歯厚方向に貫通させて形成されている。そして、図６に示すように、ゲートローターサポート８のゲートローターサポート歯部８ａには、一方がゲートローター孔７０と連通し、他方がケーシング２内に設けられた低圧空間１３と連通するゲートローターサポート孔８０が、歯厚方向に貫通させて形成されている。ゲートローター孔７０及びゲートローターサポート孔８０は、断面が円形状を成し、円の中心が同一軸線上となるような位置関係で形成されている。但し、ゲートローター孔７０及びゲートローターサポート孔８０は、円孔に限定されず、例えば角孔であってもよい。
【００２６】
ゲートローターサポート８のゲートローターサポート孔８０は、図６に示すように、ゲートローター孔７０と連通する第１ゲートローターサポート孔８１と、一方が第１ゲートローターサポート孔８１と繋がり、他方が低圧空間１３と連通する第２ゲートローターサポート孔８２と、で構成されている。第１ゲートローターサポート孔８１は、ゲートローター孔７０よりも小径である。第２ゲートローターサポート孔８２は、第１ゲートローターサポート孔８１よりも大径である。但し、第１ゲートローターサポート孔８１及び第２ゲートローターサポート孔８２の孔径は、これに限定されるものでない。
【００２７】
第１ゲートローターサポート孔８１には、図７に示すように、第１ゲートローターサポート孔８１に圧入されて嵌め込まれたピン１４が設けられている。ピン１４は、ゲートローター７のゲートローター孔７０から挿入され、ゲートローター孔７０と第１ゲートローターサポート孔８１との間を跨がるように配置されて、第１ゲートローターサポート孔８１で圧入される。そのため、ピン１４の外径は、ゲートローター孔７０の内径よりも小さく、且つ第１ゲートローターサポート孔８１の内径よりも大きい寸法となる。この寸法により、ピン１４とゲートローター孔７０との間には、異種材料であるピン１４とゲートローター７とが圧入されないように隙間が形成される。また、ピン１４が、ゲートローター孔７０と第１ゲートローターサポート孔８１と間を跨がるように配置した理由は、ゲートローター７に設けたゲートローター孔７０が、流体が滞留しやすいデッドボリュームとなるため、このデッドボリュームをできる限り抑制するためである。
【００２８】
なお、ピン１４とゲートローターサポート８とは、線膨張係数がほぼ同一の金属材料で構成されている。ピン１４とゲートローターサポート８の線膨張係数が異なると、熱の影響によって、ピン１４とゲートローターサポート８が異なる膨張率となり、圧縮室９の内圧に関わらず、ピン１４の圧入状態が解除されて、第１ゲートローターサポート孔８１からピン１４が抜け落ちる不具合が生じるからである。
【００２９】
実施の形態１のシングルスクリュー圧縮機１では、液圧縮が発生して圧縮室９の内圧が上昇した場合に、ゲートローターサポート８に圧入したピン１４が、目標の差圧によって第１ゲートローターサポート孔８１から鉛直下方に抜け落ちるように、ピン外周面の接触面圧、ピン外径、第１ゲートローターサポート孔８１との接触幅を設定する。
【００３０】
ここで、円筒状のピン１４の外径及び高さと、ゲートローターサポート８への圧入力の関係について説明する。ピン１４の外径を２ｒ（ｍｍ）、図７に示すピン１４の外周と第１ゲートローターサポート孔８１の内周の接触幅をＬ（ｍｍ）、ピン１４を第１ゲートローターサポート孔８１に圧入することでピン１４の外周面に発生する接触面圧をＰ（ＭＰａ）とする。ピン１４の外周面への作用力Ｆは、下記数式（１）となる。
【００３１】
［数式１］
Ｆ＝Ｐ×２πｒＬ  ・・・・・・（１）
【００３２】
また、ピン１４の静止摩擦力Ｆ’は、静止摩擦係数をμとすると下記数式（２）となる。
【００３３】
［数式２］
Ｆ’＝μ×Ｆ  ・・・・・・（２）
【００３４】
また、液圧縮時における圧縮室９の内圧をＰ’（ＭＰａ）、低圧空間１３の圧力をＰｓ（ＭＰａ）とすると、液圧縮時にピン１４の作用力Ｆ”は、下記数式（３）となる。
【００３５】
［数式３］
Ｆ”＝（Ｐ’−Ｐｓ）×πｒ２  ・・・・・・（３）
【００３６】
また、液圧縮時にピン１４が第１ゲートローターサポート孔８１から抜けるための条件は、Ｆ”＞Ｆ’であり、上記数式（１）〜（３）の式を代入して算式整理すると、下記数式（４）の関係が成立する。
【００３７】
［数式４］
Ｌ／ｒ＜（Ｐ’−Ｐｓ）／２μＰ  ・・・・・・（４）
【００３８】
そこで、数式（４）式を用いて、ピン１４の半径ｒ（ｍｍ）、接触幅Ｌ（ｍｍ）を設定すると、圧縮室９の内圧が目標値以上になったときに、ピン１４が第１ゲートローターサポート孔８１から外れる動作を実現できる。つまり、実施の形態１のシングルスクリュー圧縮機１では、ゲートローター７とゲートローターサポート８が、上記数式（４）が成立するように加工される。
【００３９】
また、図１に示す実施の形態１のシングルスクリュー圧縮機を備えた冷凍空調装置１００では、シングルスクリュー圧縮機１の回転数を検知する回転数検知手段２４と、膨張弁２１の開度を検知する開度検知手段２５と、ピン１４が第１ゲートローターサポート孔８１から外れていることを報知する報知手段２６と、を備えている。制御部２３は、回転数検知手段２４が予め設定した最大回転速度に到達したと判断すると、その時点における開度検知手段２５が検知した開度と予め設定した目標の開度との差を求め、その開度の差が目標値よりも大きいか否か判断する。制御部２３は、膨張弁２１の前記開度の差が目標値よりも大きいと判断すると、ピン１４が第１ゲートローターサポート孔８１から外れていると判断し、報知手段２６を報知させる。
【００４０】
なお、制御部２３には、冷媒回路２００の凝縮温度及び蒸発温度に基づくシングルスクリュー圧縮機１の最高回転速度で運転したときの膨張弁２１の目標パルス数のテーブルが内蔵されている。制御部２３は、実運転時おける凝縮温度、蒸発温度、及びシングルスクリュー圧縮機１の最高回転速度における膨張弁２１の実際のパルス数の信号を受け、目標パルス数と比較演算し、その比較結果をもとに指令を決定し、信号を発信する制御プログラムが内蔵されている。
【００４１】
シングルスクリュー圧縮機１では、圧縮室９内に液冷媒が吸込まれると液圧縮が発生し、圧縮室９の内圧が急上昇する。圧縮室９では、室内に吸い込まれた液冷媒が気化冷媒に比べて密度が高いため、ガス圧縮では到達できない圧力まで内圧が高くなる。
【００４２】
このとき、ピン１４には、上端に圧縮室９の圧力が作用し、下端に低圧空間１３の圧力が作用しているため、圧縮室９と低圧空間１３の差圧による作用力がピン軸方向に作用する。実施の形態１のシングルスクリュー圧縮機１では、液圧縮が発生して圧縮室９の内圧が上昇した場合に、ゲートローターサポート８の第１ゲートローターサポート孔８１に圧入したピン１４が目標の差圧によって鉛直下方に抜け落ちるように、ピン外周面の接触面圧、ピン外径、接触幅Ｌが設定されている。よって、シングルスクリュー圧縮機１では、２つの圧縮室９、９に、均等に冷媒が吸入されるため、液圧縮が発生して圧縮室９の内圧が目標差圧を超過すると各圧縮室９におけるピン１４が抜け落ちるよう動作する。
【００４３】
したがって、実施の形態１のシングルスクリュー圧縮機１では、ピン１４が外れると、圧縮室９内の冷媒が、ゲートローター７に設けたゲートローター孔７０を通り、ゲートローターサポート８のゲートローターサポート孔８０から低圧空間１３へ流れてゆく。したがって、このシングルスクリュー圧縮機１は、液圧縮が発生して圧縮室９の内圧が上昇した場合に、ゲートローター７の破壊強度よりも小さい発生応力で第１ゲートローターサポート孔８１からピン１４が外れて、圧縮室９と低圧空間１３とが連通されるので、圧縮室９の内圧を低圧空間１３へリリーフして、圧縮室９の内圧の上昇を防止することができ、ゲートローター７の破壊を防止できる。
【００４４】
ここで、実施の形態１のシングルスクリュー圧縮機１では、第１ゲートローターサポート孔８１からピン１４が外れると、圧縮室９と低圧空間１３とがゲートローターサポート８を介して常時連通する。よって、このシングルスクリュー圧縮機１は、圧縮室９に吸い込まれた冷媒が、常時、低圧側に漏れるため、ピン１４が外れる前と比べて、同一の高低圧又は回転速度の運転において、冷凍能力が低下してしまう。
【００４５】
シングルスクリュー圧縮機１では、前述したようピン１４が外れると圧縮室９と低圧空間１３とが連通するため、圧縮室９内の冷媒が低圧空間１３に漏れてゆく。シングルスクリュー圧縮機１は、吐出される冷媒循環量が低下するため、不足の冷凍能力を補うように制御部２３からインバータへ増速する指令の信号が発信される。シングルスクリュー圧縮機１は、順次増速してゆき、制御プログラムで冷凍能力が不足の判定が繰り返されると、いずれ最高回転速度に到達する。制御部２３は、シングルスクリュー圧縮機１が最高回転速度に到達すると、そのときの膨張弁２１の実パルス数を受信し、目標パルス数と比較する。制御部２３は、実パルス数と目標パルス数との差が目標値よりも大きいと判断した場合に、ピン１４が外れたと判定し、報知手段２６により警報を報知する。作業者は、報知手段２６からの警報を受けて、シングルスクリュー圧縮機１の点検の必要性を認識できる。
【００４６】
作業者は、警報を受けた場合に、一旦、シングルスクリュー圧縮機１の運転を停止させる。次に、作業者は、シングルスクリュー圧縮機１の吐出側止め弁２７と吸入側止め弁２８を全閉にし、閉ループの冷媒回路２００を二分する。作業者は、シングルスクリュー圧縮機１の内部の冷媒のみを回収し、油を取り除いた後に、シングルスクリュー圧縮機１の内部からゲートローター７とゲートローターサポート８の組立品を取外し、新品に交換する。
【００４７】
なお、実施の形態１のシングルスクリュー圧縮機を備えた冷凍空調装置１００は、ピン１４が第１ゲートローターサポート孔８１から外れた場合に、シングルスクリュー圧縮機１の駆動を停止させる構成とし、冷凍能力の低下を防止する構成でもよい。具体的には、制御部２３は、回転数検知手段２４が予め設定した最大回転速度に到達したと判断すると、開度検知手段２５が検知した開度と予め設定した目標の開度との差を求め、その開度の差が目標値よりも大きいか否かを判断し、その開度の差が目標値よりも大きいと判断するとピン１４が第１ゲートローターサポート孔８１から外れていると判断して、シングルスクリュー圧縮機１の駆動を停止させる。
【００４８】
したがって、実施の形態１のシングルスクリュー圧縮機１では、圧縮室９の内圧の高まりに応じて第１ゲートローターサポート孔８１からピン１４が外れ、ゲートローター孔７０と流路孔８３とが連通される構成なので、寝込み起動のような急激な液圧縮によって圧縮室９内の内圧が通常のガス圧縮では到達しない圧力になった場合であっても、ゲートローター孔７０及びゲートローターサポート孔８０で、圧縮室９と低圧空間１３とを連通させることができる。よって、このシングルスクリュー圧縮機１は、ゲートローター孔７０及びゲートローターサポート孔８０がバイパス孔として機能し、圧縮室９の内圧の上昇を防止でき、ゲートローター７の破壊を防止でき、圧縮動作を良好に行うことができる。
【００４９】
また、実施の形態１のシングルスクリュー圧縮機１は、特に圧縮室９内の内圧が高くなりやすいＲ４１０冷媒、Ｒ３２冷媒又は二酸化炭素冷媒を、冷媒回路を流れる冷媒として使用することで、効果を発揮することができる。
【００５０】
また、実施の形態１のシングルスクリュー圧縮機１では、ピン１４とゲートローターサポート８とが、線膨張係数が同一の材料で構成されているので、熱の影響によってピン１４の圧入状態が解除されて、第１ゲートローターサポート孔８１からピン１４が抜け落ちる不具合を防止することができる。
【００５１】
また、実施の形態１のシングルスクリュー圧縮機１を備えた冷凍空調装置１００によれば、制御部２３は、回転数検知手段２４が予め設定した最大回転速度に到達したと判断すると、開度検知手段２５が検知した開度と予め設定した目標の開度との差を求め、その開度の差が目標値よりも大きいと判断するとピン１４が第１ゲートローターサポート孔８１から外れていると判断して、報知手段２６を報知させる。よって、作業者は、報知手段２６からの警報を受けてシングルスクリュー圧縮機１の点検の必要性を認識でき、メンテナンスサービスを実施してシングルスクリュー圧縮機１を復旧させることができる。
【００５２】
また、実施の形態１のシングルスクリュー圧縮機１を備えた冷凍空調装置１００によれば、制御部２３は、回転数検知手段２４が予め設定した最大回転速度に到達したと判断すると、開度検知手段２５が検知した開度と予め設定した目標の開度との差を求め、その開度の差が目標値よりも大きいと判断するとピン１４が第１ゲートローターサポート孔８１から外れていると判断して、シングルスクリュー圧縮機１の駆動を停止させる。そして、作業者は、メンテナンスサービスを実施してシングルスクリュー圧縮機１を復旧させることができる。
【００５３】
なお、詳細に図示することは省略したが、実施の形態１のシングルスクリュー圧縮機１は、１つのスクリュー５に対して、１枚のゲートローター７を備えたモノゲートローター方式でも実施できる。本発明は、そのようなモノゲートローター方式のシングルスクリュー圧縮機においても、同じ作用及び同じ効果を発揮することができる。
【００５４】
実施の形態２．
次に、本発明の実施の形態２に係るシングルスクリュー圧縮機を、図８に基づいて説明する。図８は、本発明の実施の形態２に係るシングルスクリュー圧縮機のゲートローター及びゲートローターサポートの断面図である。なお、実施の形態１で説明したシングルスクリュー圧縮機１と同一の構成については、同一の符号を付して、その説明を適宜省略する。
【００５５】
実施の形態２のシングルスクリュー圧縮機１は、図８に示すように、上述した実施の形態１の構成に加えて、低圧空間１３と第２ゲートローターサポート孔８２とを連通させる流路孔８３が、ゲートローターサポート歯部８ａに形成されている。そして、第２ゲートローターサポート孔８２には、第２ゲートローターサポート孔８２を塞ぐプラグ１５が嵌め込まれている。
【００５６】
流路孔８３は、ゲートローターサポート歯部８ａの側面から第２ゲートローターサポート孔８２と交差するように形成されている。流路孔８３の断面内径は、第１ゲートローターサポート孔８１の内径より僅かに小さい寸法とすることが望ましい。第１ゲートローターサポート孔８１から抜け落ちたピン１４を流路孔８３で受け止めてゲートローターサポート８の内部に留め、ピン１４がゲートローターサポート８の外部へ飛び出すこと防止できるからである。外れたピン１４は、その後回収される。
【００５７】
プラグ１５は、圧縮室９の内圧によって外れたピン１４が、ゲートローターサポート８から抜け出して鉛直下方から飛び出さないように、ピン１４をゲートローターサポート８の内部に保持するために設けたものである。プラグ１５は、第２ゲートローターサポート孔８２の内部に圧入、焼嵌め、又は溶接等で固定されている。また、プラグ１５は、外周面をネジ状とした構成とし、第２ゲートローターサポート孔８２の内周面に形成したネジ溝にネジ込む構成でもよい。なお、プラグ１５は、ピン１４がゲートローターサポート８から抜け出さない他の構造を有する場合、例えば上記したように流路孔８３でピン１４を保持する構造を有する場合には、設ける必要はない。
【００５８】
実施の形態２のシングルスクリュー圧縮機１では、ピン１４が第１ゲートローターサポート孔８１から外れると、圧縮室９内の冷媒が、ゲートローター７に設けたゲートローター孔７０を通り、ゲートローターサポート８のゲートローターサポート孔８０から流路孔８３を通って、低圧空間１３へ流れてゆく。したがって、このシングルスクリュー圧縮機１は、液圧縮が発生して圧縮室９の内圧が上昇した場合に、ゲートローター７の破壊強度よりも小さい発生応力で第１ゲートローターサポート孔８１からピン１４が外れて、圧縮室９と低圧空間１３とが連通されるので、圧縮室９の内圧を低圧空間１３へリリーフして、圧縮室９の内圧の上昇を防止することができ、ゲートローター７の破壊を防止できる。
【００５９】
また、実施の形態２のシングルスクリュー圧縮機１では、第２ゲートローターサポート孔８２を塞ぐプラグ１５が嵌め込まれているので、第１ゲートローターサポート孔８１から外れたピン１４がゲートローターサポート８の外部へ飛び出すこと防止できる。第１ゲートローターサポート孔８１から外れたピン１４は、その後回収することができる。
【００６０】
実施の形態３．
次に、本発明の実施の形態３に係るシングルスクリュー圧縮機を、図９に基づいて説明する。図９は、本発明の実施の形態３に係るシングルスクリュー圧縮機のゲートローター及びゲートローターサポートの断面図である。なお、図９に示す実施の形態３に係るシングルスクリュー圧縮機は、実施の形態２で説明したシングルスクリュー圧縮機の構成をベースとしているが、これに限定されず、実施の形態１のシングルスクリュー圧縮機にも適用できる。また、実施の形態１及び２で説明したシングルスクリュー圧縮機と同一の構成については、同一の符号を付して、その説明を適宜省略する。
【００６１】
実施の形態３のシングルスクリュー圧縮機は、図９に示すように、ゲートローター孔７０が、ゲートローター７の圧縮室９側に形成された第１ゲートローター孔７１と、第１ゲートローター孔７１よりも大径であり、一方が第１ゲートローター孔７１に繋がり、他方がゲートローターサポート孔８０と連通する第２ゲートローター孔７２と、で構成されている。
【００６２】
シングルスクリュー圧縮機では、ゲートローター孔７０の圧縮室９側が、流体が滞留しやすいデッドボリュームとなるため、エネルギー効率がわずかに低下する。そこで、実施の形態３のシングルスクリュー圧縮機では、ゲートローター孔７０を第１ゲートローター孔７１と第２ゲートローター孔７２とで構成し、第１ゲートローター孔７１を第２ゲートローター孔７２よりも小径としているので、デッドボリュームを抑制することができる。
【００６３】
実施の形態４．
次に、本発明の実施の形態４に係るシングルスクリュー圧縮機を、図１０に基づいて説明する。図１０は、本発明の実施の形態４に係るシングルスクリュー圧縮機のゲートローターを示した平面図である。なお、実施の形態１〜３で説明したシングルスクリュー圧縮機と同一の構成については、同一の符号を付して、その説明を適宜省略する。
【００６４】
実施の形態４のシングルスクリュー圧縮機は、図１０に示すように、全てのゲートローター歯部７ａに、ゲートローター孔７０が歯厚方向に貫通させて形成されており、全てのゲートローターサポート歯部８ａに、ゲートローター孔７０と連通するゲートローターサポート孔８０が、歯厚方向に貫通させて形成された構成である。図１０に示すように、ゲートローターサポート８の歯数が１１枚の場合には、各々のゲートローターサポート８の第１ゲートローターサポート孔８１にピン１４が圧入される。
【００６５】
したがって、実施の形態４のシングルスクリュー圧縮機は、実施の形態１〜３のシングルスクリュー圧縮機に比べると圧縮室９から低圧空間１３への連通する流路面積を増加させることができるので、液圧縮が発生して圧縮室９の内圧が上昇した場合であっても、圧縮室９の内圧の上昇をより低下させることができる。よって、実施の形態４のシングルスクリュー圧縮機は、ゲートローター７が破壊される事態をより効果的に防止することができる。
【００６６】
以上に本発明を実施の形態に基づいて説明したが、本発明は上述した実施の形態の構成に限定されるものではない。例えば、図１に示した冷媒回路２００は、他の構成部材を含んだ構成でもよい。また、冷媒回路２００を流れる冷媒は、好ましくはＲ４１０冷媒、Ｒ３２冷媒又は二酸化炭素冷媒であるが、他の冷媒を使用してもよい。要するに、いわゆる当業者が必要に応じてなす種々なる変更、応用、利用の範囲をも本発明の要旨（技術的範囲）に含むことを念のため申し添える。
【符号の説明】
【００６７】
１  シングルスクリュー圧縮機、２  ケーシング、３  圧縮部、４  駆動部、５  スクリュー、６  回転軸、７  ゲートローター、７ａ  ゲートローター歯部、８  ゲートローターサポート、８ａ  ゲートローターサポート歯部、９  圧縮室、１０  電動機、１０ａ  ステーター、１０ｂ  モーターローター、１１  可変弁、１２  ロッド、１３  低圧空間、１４  ピン、１５  プラグ、１６、１７  軸受、２０  凝縮器、２１  膨張弁、２２  蒸発器、２３  制御部、２４  回転数検知手段、２５  開度検知手段、２６  報知手段、２７  吐出側止め弁、２８  吸入側止め弁、５０  軸受、７０  ゲートローター孔、７１  第１ゲートローター孔、７２  第２ゲートローター孔、８０  ゲートローターサポート孔、８１  第１ゲートローターサポート孔、８２  第２ゲートローターサポート孔、８３  流路孔、１００  冷凍空調装置、２００  冷媒回路。
【図１】
0006618638.tif 000002
【図２】
0006618638.tif 000003
【図３】
0006618638.tif 000004
【図４】
0006618638.tif 000005
【図５】
0006618638.tif 000006
【図６】
0006618638.tif 000007
【図７】
0006618638.tif 000008
【図８】
0006618638.tif 000009
【図９】
0006618638.tif 000010
【図１０】
0006618638.tif 000011